(57)【要約】【課題】利用者の意図しない操作が行われてしまうのを防ぐことが可能な電子機器を提供する。【解決手段】表示部３と、表示部３の表示面上方に設けられたタッチパネル１とを有する電子機器であって、タッチパネル１で検出された物体の接触点が、表示部３に表示される複数のアイコンの各々の表示領域内に設定されたタッチ有効範囲内に入っているか否かを判定し、接触点がタッチ有効範囲内にあると判定した場合に、接触点の入っているタッチ有効範囲が設定されたアイコンに対応した動作を実行する制御を行う制御部２と、接触点がタッチ有効範囲外にあると制御部２によって判定された場合に、表示部３に表示中の複数のアイコンの第一の表示形式を、第一の表示形式よりもアイコンの選択ミスを減らすことができるような第二の表示形式に変更する表示制御部４とを備える。【選択図】図１
2010122795.tif 000002
【特許請求の範囲】
【請求項１】
表示部と、前記表示部の表示面上方に設けられたタッチパネルとを有する電子機器であって、
前記タッチパネルで検出された物体の接触点が、前記表示部に表示される複数のアイコンの各々の表示領域内に設定された特定の範囲内に入っているか否かを判定する判定手段と、
前記接触点が前記特定の範囲内にあると前記判定手段によって判定された場合に、前記接触点の入っている前記特定の範囲が設定されたアイコンに対応した動作を実行する制御を行う制御手段と、
前記接触点が前記特定の範囲外にあると前記判定手段によって判定された場合に、前記表示部に表示中の前記複数のアイコンの第一の表示形式を、該第一の表示形式よりもアイコンの選択ミスを減らすことができるような第二の表示形式に変更する表示制御手段とを備える電子機器。
【請求項２】
請求項１記載の電子機器であって、
前記表示制御手段は、前記接触点が前記特定の範囲外にあると前記判定手段によって判定された判定回数が閾値を越えたときに前記第一の表示形式から前記第二の表示形式への変更を行う電子機器。
【請求項３】
請求項１又は２記載の電子機器であって、
前記第二の表示形式で設定される前記特定の範囲が、前記第一の表示形式で設定される前記特定の範囲よりも大きい電子機器。
【請求項４】
請求項１〜３のいずれか１項記載の電子機器であって、
前記第二の表示形式が、前記複数のアイコンの各々のサイズ及び前記複数のアイコン同士の間隔の少なくとも一方を前記第一の表示形式よりも大きくしたものである電子機器。
【請求項５】
表示部と、前記表示部の表示面上方に設けられたタッチパネルとを有する電子機器の制御方法であって、
前記タッチパネルで検出された物体の接触点が、前記表示部に表示される複数のアイコンの各々の表示領域内に設定された特定の範囲内に入っているか否かを判定する判定ステップと、
前記接触点が前記特定の範囲内にあると判定された場合に、前記接触点の入っている前記特定の範囲が設定されたアイコンに対応した動作を実行する制御を行う制御ステップと、
前記接触点が前記特定の範囲外にあると判定された場合に、前記表示部に表示中の前記複数のアイコンの第一の表示形式を、該第一の表示形式よりもアイコンの選択ミスを減らすことができるような第二の表示形式に変更する表示制御ステップとを備える電子機器の制御方法。
【請求項６】
請求項５記載の電子機器の制御方法であって、
前記表示制御ステップでは、前記接触点が前記特定の範囲外にあると判定された判定回数が閾値を越えたときに前記第一の表示形式から前記第二の表示形式への変更を行う電子機器の制御方法。
【請求項７】
請求項５又は６記載の電子機器の制御方法であって、
前記第二の表示形式で設定される前記特定の範囲を、前記第一の表示形式で設定される前記特定の範囲よりも大きくする電子機器の制御方法。
【請求項８】
請求項５〜７のいずれか１項記載の電子機器の制御方法であって、
前記第二の表示形式が、前記複数のアイコンの各々のサイズ及び前記複数のアイコン同士の間隔の少なくとも一方を前記第一の表示形式よりも大きくしたものである電子機器の制御方法。
【発明の詳細な説明】
【技術分野】
【０００１】
本発明は、表示部と、前記表示部の表示面上方に設けられたタッチパネルとを有する電子機器及びその制御方法に関する。
【背景技術】
【０００２】
特許文献１には、表示部と、前記表示部の表示面上方に設けられたタッチパネルとを有する画像再生装置が開示されている。この画像再生装置のタッチパネルは、多数の検出ブロックに分割されており、物体の接触があると、その物体の大きさによって、１つ又は複数のブロックが検出点として検出される。
【０００３】
この画像再生装置は、１つのブロックが検出された場合、この場合はタッチペンによって操作がなされていると判断できるため、タッチペンによる操作に適した画面を表示し、４つのブロックが検出された場合、この場合は指によって操作がなされていると判断できるため、指による操作に適した画面を表示するといったように、物体の接触面積に応じて画面を切り替えるようになっている。
【０００４】
この画像再生装置では、物体の接触面積を検出する必要があるため、物体を点として検出する抵抗膜方式のタッチパネルには適用することができない。また、指による操作に適した画面と、タッチペンによる操作に適した画面とを切り替えるだけであり、指による操作に適した画面の表示中における誤操作の防止については考慮されていない。
【０００５】
【特許文献１】特開２００３−３４５５１１号公報
【発明の開示】
【発明が解決しようとする課題】
【０００６】
本発明は、上記事情に鑑みてなされたものであり、利用者の意図しない操作が行われてしまうのを防ぐことが可能な電子機器及びその制御方法を提供することを目的とする。
【課題を解決するための手段】
【０００７】
本発明の電子機器は、表示部と、前記表示部の表示面上方に設けられたタッチパネルとを有する電子機器であって、前記タッチパネルで検出された物体の接触点が、前記表示部に表示される複数のアイコンの各々の表示領域内に設定された特定の範囲内に入っているか否かを判定する判定手段と、前記接触点が前記特定の範囲内にあると前記判定手段によって判定された場合に、前記接触点の入っている前記特定の範囲が設定されたアイコンに対応した動作を実行する制御を行う制御手段と、前記接触点が前記特定の範囲外にあると前記判定手段によって判定された場合に、前記表示部に表示中の前記複数のアイコンの第一の表示形式を、該第一の表示形式よりもアイコンの選択ミスを減らすことができるような第二の表示形式に変更する表示制御手段とを備える。
【０００８】
本発明の電子機器の制御方法は、表示部と、前記表示部の表示面上方に設けられたタッチパネルとを有する電子機器の制御方法であって、前記タッチパネルで検出された物体の接触点が、前記表示部に表示される複数のアイコンの各々の表示領域内に設定された特定の範囲内に入っているか否かを判定する判定ステップと、前記接触点が前記特定の範囲内にあると判定された場合に、前記接触点の入っている前記特定の範囲が設定されたアイコンに対応した動作を実行する制御を行う制御ステップと、前記接触点が前記特定の範囲外にあると判定された場合に、前記表示部に表示中の前記複数のアイコンの第一の表示形式を、該第一の表示形式よりもアイコンの選択ミスを減らすことができるような第二の表示形式に変更する表示制御ステップとを備える。
【発明の効果】
【０００９】
本発明によれば、利用者の意図しない操作が行われてしまうのを防ぐことが可能な電子機器及びその制御方法を提供することができる。
【発明を実施するための最良の形態】
【００１０】
図１は、本発明の一実施形態を説明するための電子機器の概略構成を示す図である。電子機器としては、デジタルカメラや携帯電話機等の表示部を有するものであれば何でも良い。
【００１１】
図１に示す電子機器は、液晶表示素子等の表示部３と、表示部３上方に設けられたタッチパネル１と、表示部３での画面表示を制御する表示制御部４と、電子機器全体を統括制御する制御部２とを備える。
【００１２】
タッチパネル１は、物体の接触があったときにその物体の位置を点として検出することのできるセンサであり、例えば抵抗膜式のタッチパネルを用いることができる。
【００１３】
表示制御部４は、電子機器に対して機能実行指示を行うためのコマンドが割り当てられた複数のアイコンを表示部３に表示させる制御を行う。このアイコンは、電子機器の機能メニューを表すものであっても良いし、電子機器がデジタルカメラ等の画像再生機能を有するものである場合には、再生対象となる各画像を表すものであっても良い。表示制御部３は、複数のアイコンを、複数種類の表示形式で表示部３に表示させることができる。以下の説明では、複数のアイコンを、第一の表示形式と第二の表示形式の２パターンで表示させることができるものとして説明する。表示制御部４は、制御部２からの指示により、いずれかの形式で複数のアイコンを表示部３に表示させる。
【００１４】
図２は、図１に示す電子機器の表示部３に表示される画面例を示した図である。図２（ａ）に示す画面は、１０個のアイコンａ〜ｊを第一の表示形式で表示させた場合の画面例である。図２（ｂ）に示す画面は、１０個のアイコンａ〜ｊの各々のサイズ及び各々の間隔を図２（ａ）に示す第一の表示形式よりも大きくした第二の表示形式で表示させた場合の画面例である。第二の表示形式では、１０個のアイコンａ〜ｊを同時に表示できないため、アイコンｇ〜ｊについては、画面をスクロールすることで確認できるようになっている。第二の表示形式は、アイコンの大きさやアイコン同士の間隔が第一の表示形式よりも大きくなっているため、利用者によるアイコンの選択ミスを第一の表示形式よりも減らすことができるような表示形式となっている。
【００１５】
各アイコンの表示領域内には、特定の範囲であるタッチ有効範囲が設定されている。タッチ有効範囲とは、アイコンの表示領域への物体の接触があった場合に、その接触を有効とすることができる範囲のことを言う。タッチ有効範囲は、アイコンの表示領域全体としても良いし、アイコンの表示領域内の一部としても良い。アイコンの表示領域内の一部とする場合には、例えば、図３に示すように、アイコンの表示領域を縮小した形状のタッチ有効範囲を該表示領域の中心に設定することが好ましい。
【００１６】
制御部２は、タッチパネル１で検出された物体の接触点が、表示部３に表示される複数のアイコンの各々の表示領域内に設定されたタッチ有効範囲内に入っているか否かを判定する。また、制御部２は、上記接触点がタッチ有効範囲内にあると判定した場合に、該接触点の入っているタッチ有効範囲が設定されたアイコンに対応する動作を実行する制御を行う。
【００１７】
タッチパネルの応答性を考えると、アイコンの表示領域全体をタッチ有効範囲にすることが好ましいが、図２（ａ）に示すように、アイコンのサイズが小さく、アイコン同士の間隔が狭い場合には、アイコンの表示領域の一部をタッチ有効範囲とすることが好ましい。これは、図２（ａ）に示す表示形式においてアイコンの表示領域全体をタッチ有効範囲にすると、隣接するタッチ有効範囲同士の距離が短くなるため、例えば利用者がアイコンｂを触ろうとした際に、指の接触位置そのものがずれたり、タッチパネル１で検出された物体の接触点がずれたりすることによって隣のアイコンａ，ｇ，ｃのタッチ有効範囲内に接触点が入る可能性が高くなり、利用者の意図する動作とは異なる動作が実行されてしまう可能性があるためである。
【００１８】
一方、図２（ｂ）に示すように、アイコン同士の間隔が広い場合には、アイコンの表示領域全体をタッチ有効範囲とすることが好ましい。これは、図２（ｂ）に示す表示形式においてアイコンの表示領域全体をタッチ有効範囲にすると、隣接するタッチ有効範囲同士の距離が長くなるため、例えば利用者がアイコンｂを触ろうとした際に、指の接触位置そのものがずれたり、タッチパネル１で検出された物体の接触点がずれたりすることがあったとしても、隣のアイコンａ，ｇ，ｃのタッチ有効範囲内に接触点が入る可能性は低く、利用者の意図する動作とは異なる動作が実行されてしまう可能性が低くなるためである。
【００１９】
そこで、図１に示す電子機器では、制御部２が、第一の表示形式の各アイコンの表示領域に対しては、図３に示すように一部のみにタッチ有効範囲を設定し、第二の表示形式の各アイコンの表示領域に対しては、表示領域全体にタッチ有効範囲を設定して、上記判定を行うものとしている。勿論、第一の表示形式と第二の表示形式の各々において図３に示すようにタッチ有効範囲を設定する形態や、第一の表示形式と第二の表示形式の各々においてアイコンの表示領域全体にタッチ有効範囲を設定する形態も採用可能である。
【００２０】
次に、図１に示す電子機器の動作について説明する。
【００２１】
図４は、図１に示す電子機器の動作を説明するためのフローチャートである。電源が投入されると、制御部２は、電子機器のメニュー画面を第一の表示形式で表示部３に表示させる（ステップＳ１）。タッチパネル１で物体の接触が検出されると（ステップＳ２：ＹＥＳ）、制御部２は、タッチパネル１で検出された物体の接触点と、表示部３に表示中のメニュー画面に含まれる各アイコンの表示領域に設定されたタッチ有効範囲とを比較する（ステップＳ３）。
【００２２】
ステップＳ２で検出された接触点が、各アイコンの表示領域に設定されたタッチ有効範囲のいずれかに入っていた場合（ステップＳ４：ＹＥＳ）、制御部２は、該接触点が入っていたタッチ有効範囲が設定されているアイコンに対応したコマンドを実施し、そのアイコンに対応した動作を実行する（ステップＳ５）。
【００２３】
ステップＳ２で検出された接触点が、各アイコンの表示領域に設定されたタッチ有効範囲のいずれにも入っていなかった場合（ステップＳ４：ＮＯ）、制御部２は、接触点がタッチ有効範囲内に入らなかったと判定した判定回数ｎを更新する（ステップＳ６）。なお、判定回数ｎの初期値は０であり、ステップＳ４：ＮＯの判定がなされるたびに、制御部２は、判定回数ｎを１ずつ増加して記憶する。
【００２４】
次に、制御部２は、判定回数ｎが閾値を越えるか否かを判定する。判定回数ｎが閾値以下であった場合（ステップＳ７：ＮＯ）はステップＳ２に処理を戻す。判定回数ｎが閾値を越えていた場合（ステップＳ７：ＹＥＳ）、制御部２は、表示部３に表示中のアイコンの表示形式を、該表示形式よりもアイコンの選択ミスを減らすことができるような表示形式に変更する指示を表示制御部４に出す。これにより、メニュー画面が第一の表示形式から第二の表示形式に切り替えられて再表示される（ステップＳ８）。
【００２５】
ステップＳ８の後、タッチパネル１で物体の接触が検出されると（ステップＳ９：ＹＥＳ）、制御部２は、タッチパネル１で検出された物体の接触点と、表示部３に表示中のメニュー画面に含まれる各アイコンの表示領域に設定されたタッチ有効範囲とを比較する（ステップＳ１０）。
【００２６】
ステップＳ９で検出された接触点が、各アイコンの表示領域に設定されたタッチ有効範囲のいずれかに入っていた場合（ステップＳ１１：ＹＥＳ）、制御部２は、該接触点が入っていたタッチ有効範囲が設定されているアイコンに対応したコマンドを実施し、そのアイコンに対応した動作を実行する（ステップＳ５）。
【００２７】
ステップＳ９で検出された接触点が、各アイコンの表示領域に設定されたタッチ有効範囲のいずれにも入っていなかった場合（ステップＳ１１：ＮＯ）、ステップＳ９に処理を移行する。
【００２８】
以上のように、図１に示した電子機器によれば、タッチパネル１で検出された物体の接触点がタッチ有効範囲内に入らなかった回数（上記判定回数ｎ）が閾値を越えた場合には、表示部３に表示されるアイコンを、そのサイズ及び間隔を大きくした表示形式に切り替えることができる。判定回数ｎが閾値を越えるということは、アイコンの選択ミスが頻繁に行われている、つまり、現在の表示形式では操作ミスが起こり易いと判断することができる。そこで、判定回数ｎが閾値を越えた場合には、アイコンの選択ミスを相対的に減らすことができるような表示形式に切り替えることで、利用者の意図しない操作が行われてしまうことを防止することが可能となる。
【００２９】
また、図１に示した電子機器によれば、利用者の意図しない操作が行われてしまう可能性の高い第一の表示形式においては、タッチ有効範囲を狭く設定しているため、誤操作を効果的に防止することができる。また、利用者の意図しない操作が行われてしまう可能性の低い第二の表示形式においては、タッチ有効範囲を広く設定しているため、タッチパネルの応答性を確保することができる。
【００３０】
なお、以上の説明では、アイコンの大きさとアイコン同士の間隔の両方を第一の表示形式よりも大きくすることで、アイコンの選択ミスを減らすことができる第二の表示形式を実現するものとしたが、アイコンの大きさとアイコン同士の間隔のいずれか一方を第一の表示形式よりも大きくすることで、第二の表示形式を実現しても良い。
【００３１】
また、図４に示すフローチャートにおいて、ステップＳ６及びステップＳ７の処理は省略しても良い。つまり、図４のステップＳ４：ＮＯの後、ステップＳ８に直接処理を移行しても良い。誤操作防止の観点では、このような方法であっても効果を得ることができる。
【００３２】
また、以上の説明では、表示形式を２種類としたが、３種類以上であっても良い。表示形式を第一の表示形式と、第二の表示形式と、第三の表示形式の３種類用意し、（第一の表示形式でのアイコンの大きさ及び間隔）＜（第二の表示形式でのアイコンの大きさ及び間隔）＜（第三の表示形式でのアイコンの大きさ及び間隔）とする。そして、図４に示したフローチャートにおいて、ステップＳ８で第一の表示形式から第二の表示形式に切り替えたときには、その後に判定回数ｎをリセットしてからステップＳ２〜Ｓ７の処理を行い、ステップＳ８で第二の表示形式から第三の表示形式に切り替えたときには、その後にステップＳ９以降の処理を行うようにすれば良い。
【００３３】
このように、表示形式を３種類以上切り替え可能にしておくことで、様々な利用者に対応することができる。
【００３４】
以上説明したように、本明細書には次の事項が開示されている。
開示された電子機器は、表示部と、前記表示部の表示面上方に設けられたタッチパネルとを有する電子機器であって、前記タッチパネルで検出された物体の接触点が、前記表示部に表示される複数のアイコンの各々の表示領域内に設定された特定の範囲内に入っているか否かを判定する判定手段と、前記接触点が前記特定の範囲内にあると前記判定手段によって判定された場合に、前記接触点の入っている前記特定の範囲が設定されたアイコンに対応した動作を実行する制御を行う制御手段と、前記接触点が前記特定の範囲外にあると前記判定手段によって判定された場合に、前記表示部に表示中の前記複数のアイコンの第一の表示形式を、該第一の表示形式よりもアイコンの選択ミスを減らすことができるような第二の表示形式に変更する表示制御手段とを備える。
【００３５】
接触点が特定の範囲内にない場合には、意図したアイコンの選択を上手く行うことができていないと考えられる。このため、この場合には、上記構成のように、複数のアイコンの表示形式を、アイコンの選択ミスが少なくなるような表示形式（例えば、アイコンを大きくしたり、アイコン同士の間隔を広くしたりした形式）に変更することで、利用者による誤操作を防止することが可能となる。
【００３６】
開示された電子機器は、前記表示制御手段が、前記接触点が前記特定の範囲外にあると前記判定手段によって判定された判定回数が閾値を越えたときに前記第一の表示形式から前記第二の表示形式への変更を行う。
【００３７】
この構成により、特定の範囲外への接触が何度も行われた時点で表示形式の変更を行うことができる。このため、無意識のうちにタッチパネルに接触してしまった等の操作ミスによって表示形式が変更されてしまうのを防ぐことができ、使い勝手を向上させることができる。
【００３８】
開示された電子機器は、前記第二の表示形式で設定される前記特定の範囲が、前記第一の表示形式で設定される前記特定の範囲よりも大きい。
【００３９】
第二の表示形式では、第一の表示形式よりも、例えばアイコンのサイズや間隔が大きくなる。このため、利用者の指が、接触したいアイコンの隣のアイコンに触れてしまうことによる誤操作は起こりにくくなる。そこで、上記構成のように、各アイコンの表示領域に設定する特定の範囲を大きくする、例えばアイコンの表示領域全体を特定の範囲にしてしまうことで、利用者によるアイコンの選択操作をやり易くすることができ、使い勝手を向上させることができる。
【００４０】
開示された電子機器は、前記第二の表示形式が、前記複数のアイコンの各々のサイズ及び前記複数のアイコン同士の間隔の少なくとも一方を前記第一の表示形式よりも大きくしたものである。
【００４１】
開示された電子機器の制御方法は、表示部と、前記表示部の表示面上方に設けられたタッチパネルとを有する電子機器の制御方法であって、前記タッチパネルで検出された物体の接触点が、前記表示部に表示される複数のアイコンの各々の表示領域内に設定された特定の範囲内に入っているか否かを判定する判定ステップと、前記接触点が前記特定の範囲内にあると判定された場合に、前記接触点の入っている前記特定の範囲が設定されたアイコンに対応した動作を実行する制御を行う制御ステップと、前記接触点が前記特定の範囲外にあると判定された場合に、前記表示部に表示中の前記複数のアイコンの第一の表示形式を、該第一の表示形式よりもアイコンの選択ミスを減らすことができるような第二の表示形式に変更する表示制御ステップとを備える。
【００４２】
開示された電子機器の制御方法は、前記表示制御ステップでは、前記接触点が前記特定の範囲外にあると判定された判定回数が閾値を越えたときに前記第一の表示形式から前記第二の表示形式への変更を行う。
【００４３】
開示された電子機器の制御方法は、前記第二の表示形式で設定される前記特定の範囲を、前記第一の表示形式で設定される前記特定の範囲よりも大きくする。
【００４４】
開示された電子機器の制御方法は、前記第二の表示形式が、前記複数のアイコンの各々のサイズ及び前記複数のアイコン同士の間隔の少なくとも一方を前記第一の表示形式よりも大きくしたものである。
【図面の簡単な説明】
【００４５】
【図１】本発明の一実施形態を説明するための電子機器の概略構成を示す図
【図２】図１に示す電子機器の表示部３に表示される画面例を示した図
【図３】図１に示す電子機器の表示部３に表示されるアイコンの表示領域に設定されるタッチ有効領域を一例を示した図
【図４】図１に示す電子機器の動作を説明するためのフローチャート
【符号の説明】
【００４６】
１  タッチパネル
２  制御部
３  表示部
４  表示制御部
【図１】
2010122795.tif 000003
【図２】
2010122795.tif 000004
【図３】
2010122795.tif 000005
【図４】
2010122795.tif 000006